(57)【要約】【課題】  ユーザ毎にボリューム・カーブを変更することが可能であり、ユーザ毎の好みの音量付近で細かく音量を調節できる音響装置の提供。【解決手段】  出力する音量を、受付けた操作量に応じて設定する音量設定手段７を備え、操作量に対する音量の変化量が他の領域より小さい拡大操作量領域を有する音響装置。拡大操作量領域の音量設定手段７の全操作量範囲での位置を変更する変更手段６ｂ，７，８を備える構成である。【選択図】        図１
2005252725.tif 000002
【特許請求の範囲】
【請求項１】
出力する音量を操作量に応じて設定する音量設定手段を備え、操作量に対する音量の変化量が他の領域より小さい拡大操作量領域を有する音響装置において、
前記拡大操作量領域の前記音量設定手段の全操作量範囲での位置を変更する変更手段を備えることを特徴とする音響装置。
【請求項２】
前記変更手段は、前記音量設定手段が設定した音量を前記拡大操作量領域に対応する音量領域に含むように、前記拡大操作量領域の位置を変更すべくなしてある請求項１記載の音響装置。
【請求項３】
拡大操作量領域の変更指示を受付ける変更受付手段を更に備え、該変更受付手段が変更指示を受付けたときに、前記変更手段は前記拡大操作量領域の位置を変更すべくなしてある請求項２記載の音響装置。
【請求項４】
前記音量設定手段が音量を設定してから所定時間を計時する計時手段を更に備え、該計時手段が所定時間を計時したときに、前記変更手段は前記拡大操作量領域の位置を変更すべくなしてある請求項２又は３記載の音響装置。
【請求項５】
前記変更手段は、前記音量設定手段が設定した音量が前記音量領域の中心になるように、前記拡大操作量領域の位置を変更すべくなしてある請求項２乃至４の何れか１つに記載の音響装置。
【請求項６】
前記拡大操作量領域及び音量領域の幅を変更する手段を更に備える請求項２乃至５の何れか１つに記載の音響装置。
【発明の詳細な説明】
【技術分野】
【０００１】
本発明は、出力する音量を操作量に応じて設定する音量設定手段を備え、音量設定手段の操作量に対する音量の変化量が他より小さい領域、換言すれば、細かく音量を変更する為に比較的大きい操作量を要する拡大操作量領域を有するカーオーディオ装置等の音響装置に関するものである。
【背景技術】
【０００２】
近年のカーオーディオ装置における音量調節は、電子制御されるようになっており、音量調節つまみの操作量単位であるステップ毎に音量が変化する。このステップ数と音量との関係を示す特性曲線であるボリューム・カーブは、カーオーディオ装置に固定的に定められている。
【０００３】
また、多くのカーオーディオ装置では、音量調節つまみのステップ毎に変化する音量幅に変化を持たせており、通常聴かれるであろうボリューム位置近辺では、ステップ毎に変化する音量幅を小さくして、ボリューム・カーブの例を示す特性図である図４（ａ）に示すように、ボリューム・カーブに「うねり」（拡大操作量領域）を持たせている。これにより、ユーザは、通常聴くボリューム位置近辺で、音量を細かく調節することができるが、ボリューム・カーブの「うねり」も固定されている。
【０００４】
特許文献１には、オーディオ信号の音量レベルの大きい領域及び小さい領域に対応して音量レベルを表示するレベル表示部のレベル変化の度合いを改善するレベル表示装置が開示されている。特許文献２には、入力信号レベルが低い場合のＳ／Ｎを高く得られるように改良した電子ボリュームが開示されている。
【特許文献１】特開２０００−２１６６４７号公報
【特許文献２】特開平５−１６７３６５号公報
【発明の開示】
【発明が解決しようとする課題】
【０００５】
カーオーディオ装置で音楽を聴く場合、ユーザによって、聴くときの音量の好み、及び曲種の違いによる音量の条件に違いがある。車種によりエンジン音、走行ノイズ、及び外部から侵入して来る騒音等で最適音量が異なったり、ＢＧＭ程度に小さい音量で聴くのが好みの人、及び大きな音量で聴くのが好みの人等、様々である。
【０００６】
しかし、ボリューム・カーブは固定されており、カーオーディオ装置のメーカが設定したボリューム・カーブが、車両の室内空間、搭載スピーカの能率と口径、エンジン音及び走行ノイズ等の車両条件と、ユーザの聴く音量に対する好みとに適合しない場合が多いという問題がある。
【０００７】
また、ユーザにとっては、いつも聴く音量調節つまみの位置の近辺において、細かく音量を調整できるのが便利であるが、そのような便利な音響装置は存在していなかった。
本発明は、上述したような事情に鑑みてなされたものであり、ユーザ毎にボリューム・カーブを変更することが可能であり、ユーザ毎の好みの音量付近で細かく音量を調節できる音響装置を提供することを目的とする。
【課題を解決するための手段】
【０００８】
第１発明に係る音響装置は、出力する音量を操作量に応じて設定する音量設定手段を備え、操作量に対する音量の変化量が他の領域より小さい拡大操作量領域を有する音響装置において、前記拡大操作量領域の前記音量設定手段の全操作量範囲での位置を変更する変更手段を備えることを特徴とする。
【０００９】
この音響装置では、音量設定手段が、出力する音量を操作量に応じて設定し、操作量に対する音量の変化量が他の領域より小さい拡大操作量領域を有している。変更手段が、拡大操作量領域の音量設定手段の全操作量範囲での位置を変更する。
【００１０】
第２発明に係る音響装置は、前記変更手段は、前記音量設定手段が設定した音量を前記拡大操作量領域に対応する音量領域に含むように、前記操作量領域の位置を変更すべくなしてあることを特徴とする。
【００１１】
この音響装置では、変更手段は、音量設定手段が設定した音量を拡大操作量領域に対応する音量領域に含むように、拡大操作量領域の位置を変更する。
【００１２】
第３発明に係る音響装置は、拡大操作量領域の変更指示を受付ける変更受付手段を更に備え、該変更受付手段が変更指示を受付けたときに、前記変更手段は前記拡大操作量領域の位置を変更すべくなしてあることを特徴とする。
【００１３】
この音響装置では、変更受付手段が、拡大操作量領域の変更指示を受付けたときに、変更手段は拡大操作量領域の位置を変更する。
【００１４】
第４発明に係る音響装置は、前記音量設定手段が音量を設定してから所定時間を計時する計時手段を更に備え、該計時手段が所定時間を計時したときに、前記変更手段は前記操作量領域の位置を変更すべくなしてあることを特徴とする。
【００１５】
この音響装置では、計時手段が、音量設定手段が音量を設定してから所定時間を計時し、計時手段が所定時間を計時したときに、変更手段は拡大操作量領域の位置を変更する。
【００１６】
第５発明に係る音響装置は、前記変更手段は、前記音量設定手段が設定した音量が前記音量領域の中心になるように、前記拡大操作量領域の位置を変更すべくなしてあることを特徴とする。
【００１７】
この音響装置では、変更手段は、音量設定手段が設定した音量が、拡大操作量領域に対応する音量領域の中心になるように、拡大操作量領域の位置を変更する。
【００１８】
第６発明に係る音響装置は、前記拡大操作量領域及び音量領域の幅を変更する手段を更に備えることを特徴とする。
【００１９】
この音響装置では、変更する手段が、拡大操作量領域及び拡大操作量領域に対応する音量領域の幅を変更する。
【発明の効果】
【００２０】
第１，２発明に係る音響装置によれば、ユーザ毎にボリューム・カーブを変更することが可能であり、ユーザ毎の好みの音量付近で細かく音量を調節できる音響装置を実現することができる。また、細かく音量を調節できる領域以外は、操作量に対する音量変化が大きいので、音量を大きく下げたり上げたりする場合は、速やかに音量を変化させることができ、元の音量に戻す場合も速やかに戻すことができる。
【００２１】
第３発明に係る音響装置によれば、ユーザ毎にボリューム・カーブを変更することが可能であり、ユーザ毎の好みの音量付近で細かく音量を調節できる音響装置を実現することができる。また、ユーザは、音量設定手段が設定している音量を、拡大操作量領域に対応する音量領域に含めるか否かを、変更受付手段を操作するか否かにより選択することができる。
【００２２】
第４発明に係る音響装置によれば、ユーザ毎にボリューム・カーブを変更することが可能でありユーザ毎の好みの音量付近で細かく音量を調節できる音響装置を実現することができる。また、音量設定手段が設定している音量が、拡大操作量領域に対応する音量領域に含まれるように、拡大操作量領域の位置を自動的に変更することができる。
【００２３】
第５発明に係る音響装置によれば、ユーザ毎にボリューム・カーブを変更することが可能であり、ユーザ毎の好みの音量付近で細かく音量を調節できる音響装置を実現することができる。また、細かく音量を調節できる領域を適切に偏らないように設定することができる。
【００２４】
第６発明に係る音響装置によれば、ユーザ毎にボリューム・カーブを変更することが可能であり、ユーザ毎の好みの音量付近で細かく音量を調節できる音響装置を実現することができる。また、ユーザは、細かく音量を調節できる領域の幅を好みに合わせて設定することができる。
【発明を実施するための最良の形態】
【００２５】
以下に、本発明をその実施の形態を示す図面に基づいて説明する。
（実施の形態１）
図１は、本発明に係る音響装置の実施の形態１であるカーオーディオ装置の構成を示すブロック図である。このカーオーディオ装置は、ＡＭ放送を受信する為のＡＭチューナ１と、ＦＭ放送を受信する為のＦＭチューナ２と、ＣＤを再生するＣＤプレーヤ３と、ＭＤ（Mini Disc）を再生するためのＭＤプレーヤ４と、カセットテープレコーダ等のその他の音源装置５と、ＡＭ放送及びＦＭ放送の電波を受信する為のアンテナ１１とを備えている。
【００２６】
プリアンプ部（電子ボリューム、ＤＳＰ、アナログＩＣ等を含む）７は、ＡＭチューナ１、ＦＭチューナ２、ＣＤプレーヤ３、ＭＤプレーヤ４又は音源装置５から音声信号を与えられ、与えられた音声信号の音量を、設定されている後述するボリューム・カーブに基づき、調節して出力する。メインアンプ部（増幅器）９は、プリアンプ部７が出力した音声信号を増幅し、スピーカ１０は、増幅された音声信号を音声に変換して出力する。
【００２７】
操作部６は、音量を調節する為の音量調節つまみ６ａ、音量調節つまみ６ａの操作量単位であるステップ数と音量との関係を示すボリューム・カーブにおいて、ステップ数の割に音量変化が他より小さい領域（拡大操作量領域）の位置を変更する操作を受付ける操作釦６ｂ、拡大操作量領域の幅を変更する操作を受付ける幅変更釦６ｃ，６ｃ、及び電源釦６ｄ等を有している。
マイクロコンピュータ８は、上述したプリアンプ部７、各音源装置１〜５及び操作部６と制御信号を送受し、それらを制御する。マイクロコンピュータ８は、タイマ８ａを内蔵している。
【００２８】
以下に、このような構成のカーオーディオ装置の音量調節時のマイクロコンピュータ８の処理手順を、図２のフローチャートを参照しながら説明する。
このカーオーディオ装置のマイクロコンピュータ８は、音量調節つまみ６ａの操作位置を読込み（Ｓ２）、読込んだ操作位置が前回読込んだ操作位置と同一であるか否かを判定する（Ｓ４）。操作位置が同一でなければ、読込んだ操作位置をプリアンプ部７に与え、操作位置に応じた音量を指示した後（Ｓ６）、フラグＦａを１にし（Ｓ８）、タイマ８ａをリセットして（Ｓ１０）リターンする。プリアンプ部７は、与えられた操作位置に応じた増幅率に設定する。
フラグＦａは、電源釦６ｄが操作され、カーオーディオ装置の電源が入って初期化された時点で０である。
【００２９】
マイクロコンピュータ８は、読込んだ操作位置が前回読込んだ操作位置と同一であれば（Ｓ４）、フラグＦａが１であるか否かを判定し（Ｓ１２）、１であれば、タイマ８ａに計時させる（Ｓ１４）。次いで、タイマ８ａが１秒計時したか否かを判定し（Ｓ１６）、１秒計時していなければ、リターンする。
タイマ８ａが１秒計時していれば（Ｓ１６）（音量調節つまみ６ａの操作終了）、フラグＦａを０にし（Ｓ１８）、タイマ８ａをリセットする（Ｓ２０）。次いで、操作釦６ｂが操作（押圧）されるか否かを判定する（Ｓ２２）。
【００３０】
マイクロコンピュータ８は、操作釦６ｂが操作されたときは（Ｓ２２）、拡大操作量領域の位置を、音量調節つまみ６ａの操作により設定された音量（Ｓ６）を中心とする位置に変更したボリュームカーブのデータを、プリアンプ部７に与えて（Ｓ２４）リターンする。プリアンプ部７は、与えられたボリューム・カーブを新たに設定する。
【００３１】
操作釦６ｂが操作されないときは（Ｓ２２）、新たなボリュームカーブをプリアンプ部７に与えることなくリターンする。
マイクロコンピュータ８は、フラグＦａが１でなければ（Ｓ１２）（音量調節つまみ６ａの操作終了から１秒以上経過又は未操作の状態）、操作釦６ｂが操作されるか否かを判定する（Ｓ２２）。
【００３２】
幅変更釦６ｃが操作されると、マイクロコンピュータ８は、その操作に応じて、プリアンプ部７が設定しているボリューム・カーブの拡大操作量領域の幅を変更したボリューム・カーブのデータを、プリアンプ部７に与え、プリアンプ部７は、与えられたボリューム・カーブを新たに設定する。
プリアンプ部７は、拡大操作量領域の位置が標準的なボリューム・カーブのデータを備えており、バッテリ電源喪失によりリセットされた場合、又は操作部６の図示しないリセット釦が操作された場合は、標準的なボリューム・カーブを設定する。
【００３３】
例えば、ボリューム・カーブの例を示す特性図である図４（ａ）において、音量調節つまみ６ａの操作（Ｓ４）以前の、拡大操作量領域（なだらかな部分）の位置が、６〜１８ステップ、−５０〜−４４ｄＢであり、音量調節つまみ６ａの操作（Ｓ４）により設定された音量調節つまみ６ａの操作位置及び音量（Ｓ６）が、２５ステップ、−３０ｄＢであるとする。
マイクロコンピュータ８は、拡大操作量領域の位置を、ボリューム・カーブの例を示す特性図である図４（ｂ）に示すように、２５ステップ、−３０ｄＢを中心とする１９〜３１ステップ、−３３〜−２７ｄＢの位置に変更したボリューム・カーブのデータを、プリアンプ部７に与える。
【００３４】
つまり、ユーザがＣＤのある曲を再生し、その最適音量が、図４（ａ）に示すボリュームカーブにおいて、２５ステップ付近であるとすると、別の曲を再生する場合に（静かな曲や騒々しい曲等、音量が異なるので）、その近辺のボリューム位置で細かく調節したいことがある。
しかし、図４（ａ）に示すボリュームカーブでは、２５ステップ付近はステップ毎に変化する音量幅が大きく、２４ステップにすると音量が小さくなり過ぎ、２６ステップにすると、大きくなり過ぎてしまうということがある。
そのような場合に、６〜１８ステップの拡大操作量領域を、２５ステップを中心とする部分に移動させることができれば、ユーザは、２５ステップ（最適位置）を中心に、より細かく音量を調節することができる。
【００３５】
幅変更つまみ６ｃが操作された場合、ボリューム・カーブは、例えば、１９〜３１ステップ、−３３〜−２７ｄＢであった拡大操作量領域が、２２〜２８ステップ、−３１〜−２８ｄＢ、又は１６〜３４ステップ、−３４〜−２６ｄＢのように変化して、拡大操作量領域の幅が変化する。
【００３６】
（実施の形態２）
図３は、本発明に係る音響装置の実施の形態２であるカーオーディオ装置の音量調節時の処理手順を示すフローチャートである。本発明に係る音響装置の実施の形態２であるカーオーディオ装置の構成は、上述した実施の形態１であるカーオーディオ装置の構成（図１）と同様であるので、説明を省略する。
【００３７】
以下に、このカーオーディオ装置の音量調節時のマイクロコンピュータ８の処理手順を、図３のフローチャートを参照しながら説明する。
このカーオーディオ装置のマイクロコンピュータ８は、音量調節つまみ６ａの操作位置を読込み（Ｓ３０）、読込んだ操作位置が前回読込んだ操作位置と同一であるか否かを判定する（Ｓ３２）。操作位置が同一でなければ、読込んだ操作位置をプリアンプ部７に与え、操作位置に応じた音量を指示した後（Ｓ５６）、フラグＦｂ，Ｆｃを１にし（Ｓ５８）、タイマ８ａをリセットして（Ｓ６０）リターンする。プリアンプ部７は、与えられた操作位置に応じた増幅率に設定する。
フラグＦｂ，Ｆｃは、電源釦６ｄが操作され、カーオーディオ装置の電源が入って初期化された時点で０である。
【００３８】
マイクロコンピュータ８は、読込んだ操作位置が前回読込んだ操作位置と同一であれば（Ｓ３２）、フラグＦｂが１であるか否かを判定し（Ｓ３４）、１であれば、タイマ８ａに計時させる（Ｓ３６）。次いで、タイマ８ａが１秒計時したか否かを判定し（Ｓ３８）、１秒計時していなければ、リターンする。
タイマ８ａが１秒計時していれば（Ｓ３８）（音量調節つまみ６ａの操作終了）、フラグＦｂを０にし（Ｓ４０）、タイマ８ａをリセットする（Ｓ４２）。次いで、タイマ８ａに所定時間（例えば３０分〜１時間）を計時させる（Ｓ４４）。
【００３９】
マイクロコンピュータ８は、次に、タイマ８ａが所定時間の計時を終了したか否かを判定し（Ｓ４６）、終了したときは、フラグＦｃを０にし（Ｓ４８）、タイマ８ａをリセットする（Ｓ５０）。次いで、拡大操作量領域の位置を、音量調節つまみ６ａの操作により設定された音量（Ｓ５６）を中心とする位置に変更したボリュームカーブのデータを、プリアンプ部７に与えて（Ｓ５２）リターンする。プリアンプ部７は、与えられたボリューム・カーブを新たに設定する。
所定時間の計時が終了していないときは（Ｓ４６）、そのままリターンする。また、フラグＦｂが１でなければ（Ｓ３４）、フラグＦｃが１であるか否かを判定し（Ｓ５４）、１であれば、タイマ８ａに計時させ（Ｓ４４）、１でなければ（音量調節つまみ６ａの操作終了から１秒＋所定時間以上経過又は未操作の状態）リターンする。
【００４０】
例えば、図４（ａ）において、音量調節つまみ６ａの操作（Ｓ３２）以前の、拡大操作量領域（なだらかな部分）の位置が、６〜１８ステップ、−５０〜−４４ｄＢであり、音量調節つまみ６ａの操作（Ｓ３２）により設定された音量調節つまみ６ａの操作位置及び音量が、２５ステップ、−３０ｄＢであるとする。
マイクロコンピュータ８は、拡大操作量領域の位置を、図４（ｂ）に示すように、２５ステップ、−３０ｄＢを中心とする１９〜３１ステップ、−３３〜−２７ｄＢの位置に変更したボリューム・カーブのデータを、プリアンプ部７に与える。
以上により、ユーザが好みの音量を中心に、より細かく音量を調節することができるカーオーディオ装置等の音響装置を実現することができる。
【図面の簡単な説明】
【００４１】
【図１】本発明に係る音響装置の実施の形態であるカーオーディオ装置の構成を示すブロック図である。
【図２】本発明に係る音響装置の実施の形態であるカーオーディオ装置の音量調節時のマイクロコンピュータの処理手順を示すフローチャートである。
【図３】本発明に係る音響装置の実施の形態であるカーオーディオ装置の音量調節時のマイクロコンピュータの処理手順を示すフローチャートである。
【図４】ボリューム・カーブの例を示す特性図である。
【符号の説明】
【００４２】
６  操作部
６ａ  音量調節つまみ（音量設定手段）
６ｂ  操作釦（変更受付手段）
６ｃ  幅変更釦（幅を変更する手段）
６ｄ  電源釦
７  プリアンプ部（電子ボリューム、音量設定手段）
８  マイクロコンピュータ（変更手段）
８ａ  タイマ
１０  スピーカ
【図１】
2005252725.tif 000003
【図２】
2005252725.tif 000004
【図３】
2005252725.tif 000005
【図４】
2005252725.tif 000006